(57)【特許請求の範囲】
【請求項１】
所定の位置に２次元コードが印刷され、さらに、可視光を透過すると共に可視光の領域にない特定波長の光が照射されると特定波長の光を反射する特殊インクにより、図形パターンが所定の位置に印刷された情報コード印刷媒体を読み取る情報コード印刷媒体読取方法であって、
前記図形パターンは、少なくとも一部が前記２次元コードと重なるように前記情報コード印刷媒体に印刷されており、
前記情報コード印刷媒体の一端を処理開始位置として検出する処理開始位置検出過程と、
前記特定波長の光を照射し、前記図形パターンが反射する反射光のレベル変化を検出する反射光検出過程と、
前記反射光検出過程において検出された前記反射光のレベル変化から前記図形パターンの位置を検出する図形パターン位置検出過程と、
前記図形パターン位置検出過程において検出された前記図形パターンの位置の正否を判断する図形パターン位置判断過程と、
前記情報コード印刷媒体に印刷された画像を取り込む画像取込過程と、
前記画像取込過程において取り込んだ前記画像における前記２次元コードの位置を特定する２次元コード位置特定過程と、
前記２次元コード位置特定過程において特定した前記２次元コードの位置の正否を判断する２次元コード位置判断過程と、
前記図形パターンの位置、及び、前記２次元コードの位置が共に正しいと判断した場合に、取り込んだ前記画像に含まれる前記２次元コードのデコードを実行するデコード過程と、
を含むことを特徴とする情報コード印刷媒体読取方法。
【請求項２】
請求項１に記載した情報コード印刷媒体読取方法において、
前記図形パターン位置判断過程において前記図形パターンの位置が正しくないと判断した場合、又は、前記２次元コード位置判断過程において前記２次元コードの位置が正しくないと判断した場合に、前記情報コード印刷媒体が偽造された可能性がある旨を報知する報知過程をさらに含むこと特徴とする情報コード印刷媒体読取方法。
【請求項３】
請求項１又は請求項２に記載した情報コード印刷媒体読取方法において、
前記図形パターン位置検出過程では、前記反射光検出過程において検出された前記反射光のレベル変化に対応した図形パターン対応信号によって前記図形パターンの位置を検出し、
前記図形パターン位置判断過程では、前記図形パターン対応信号検出過程において検出された前記図形パターン対応信号が正常時の信号と一致するか否かによって、図形パターンの位置の正否を判断すること、
を特徴とする情報コード印刷媒体読取方法。
【請求項４】
請求項２、又は、請求項２を引用する請求項３に記載の情報コード印刷媒体読取方法において、
前記情報コード印刷媒体の所定の位置に印刷される２次元コードは複数であって、
前記デコード過程は、
前記複数の２次元コードのそれぞれから情報を取得する情報取得過程と、
前記情報取得過程において取得した前記情報が相互に関連性を有するか否かを判断する関連性判断過程と、
を含み、
前記関連性判断過程において関連性がないと判断された場合には、前記情報コード印刷媒体が偽造された可能性がある旨を報知する過程をさらに含むこと、
を特徴とする情報コード印刷媒体読取方法。
【請求項５】
所定の位置に２次元コードが印刷され、さらに、可視光を透過すると共に可視光の領域にない特定波長の光が照射されると特定波長の光を反射する特殊インクにより、所定の位置に図形パターンが印刷された情報コード印刷媒体を読み取る情報コード印刷媒体読取装置であって、
前記図形パターンは、少なくとも一部が前記２次元コードと重なるように前記情報コード印刷媒体に印刷されており、
前記情報コード印刷媒体の一端を処理開始位置として検出する処理開始位置検出手段と、
前記特定波長の光を照射し、前記図形パターンが反射する反射光のレベル変化を検出する反射光検出手段と、
前記反射光検出手段により検出された前記反射光のレベル変化から前記図形パターンの位置を検出する図形パターン位置検出手段と、
前記図形パターン位置検出手段により検出された前記図形パターンの位置の正否を判断する図形パターン位置判断手段と、
前記情報コード印刷媒体に印刷された画像を取り込む画像取込手段と、
前記画像取込手段により取り込まれた前記画像における前記２次元コードの位置を特定する２次元コード位置特定手段と、
前記２次元コード位置特定手段により特定された前記２次元コードの位置の正否を判断する２次元コード位置判断手段と、
前記図形パターンの位置、及び、前記２次元コードの位置が共に正しいと判断した場合に、取り込んだ前記画像に含まれる２次元コードのデコードを実行するデコード手段と、
を備えることを特徴とする情報コード印刷媒体読取装置。
【請求項６】
請求項５に記載の情報コード印刷媒体読取装置において、
前記図形パターン位置判断手段により前記図形パターンの位置が正しくないと判断された場合、又は、前記２次元コード位置判断手段により前記２次元コードの位置が正しくないと判断された場合に、前記情報コード印刷媒体が偽造された可能性がある旨を報知する報知手段をさらに備えること特徴とする情報コード印刷媒体読取装置。
【請求項７】
請求項５又は請求項６に記載した情報コード印刷媒体読取装置において、
前記図形パターン位置検出手段は、前記反射光検出手段により検出された前記反射光のレベル変化に対応した図形パターン対応信号によって前記図形パターンの位置を検出し、
前記図形パターン位置判断手段は、前記図形パターン対応信号検出手段により検出された前記図形パターン対応信号が正常時の信号と一致するか否かによって、図形パターンの位置の正否を判断すること、
を特徴とする情報コード印刷媒体読取装置。
【請求項８】
請求項５〜請求項７のいずれかに記載した情報コード印刷媒体読取装置において、
前記情報コード印刷媒体に印刷された２次元コードは複数であって、
前記２次元コード位置判断手段は、さらに、２次元コード間の間隔についても調べ、前記間隔が所定の間隔であるときに前記２次元コードの位置が正しいと判断すること、
を特徴とする情報コード印刷媒体読取装置。
【請求項９】
請求項６、又は、請求項６を引用する請求項７若しくは請求項８に記載の情報コード印刷媒体読取装置において、
前記情報コード印刷媒体の所定の位置に印刷される２次元コードは複数であって、
前記デコード手段は、
前記複数の２次元コードのそれぞれから情報を取得する情報取得手段と、
前記情報取得手段により取得された前記情報が相互に関連性を有するか否かを判断する関連性判断手段と、
を含み、
前記関連性判断手段により関連性がないと判断された場合には、前記報知手段が前記旨を報知すること、
を特徴とする情報コード印刷媒体読取装置。
【発明の詳細な説明】
【技術分野】
【０００１】
本発明は、例えば抽選券などが偽造され不正に使用されることを防止する技術に関する。
【背景技術】
【０００２】
例えば抽選券などに印刷された抽選番号が不正に変更されて抽選券が偽造される可能性がある。このような偽造防止を行う技術として、特開平８−１４７３７８号公報に開示されたものが挙げられる。
【０００３】
ここに開示される技術は、可視光を透過する特殊インク（ステルスインク）を用いるものである。特殊インクは、可視光を透過するため人間には見えない。その印刷形式として、上述した公報には以下３つの形式が開示されている。
【０００４】
1)券毎に異なる、ランダムな間隔の斜線からなる紋様を、抽選番号の印刷領域に印刷する。図８（ａ）に示す如くである。
2)抽選番号の各桁に対応する縦バーを、抽選番号の印刷領域の固定位置に印刷する。図８（ｂ）に示す如くである。
【０００５】
3)抽選番号と同一の番号を印刷する。図８（ｃ）に示す如くである。
そして、抽選番号を読み取ると同時に、斜線又は縦バーの連続性、あるいは特殊インクにて印刷された番号との一致を判断することによって、券が偽造されたものであるか否かを判定している。
【発明の開示】
【発明が解決しようとする課題】
【０００６】
しかしながら、上記2)及び3)の印刷形式では、次のようにして偽造される可能性がある。例えば図９中（ａ）、（ｂ）及び（ｃ）は上記2)の印刷形式によって印刷された券を示している。
【０００７】
例えばあたり券の番号が「１２３４５６」であるとする。このとき、「１２３８５６」の番号が印刷されたはずれ券１（図９（ａ）参照）及び「２３４５６７」の番号が印刷されたはずれ券２（図９（ｂ）参照）から、あたり券を偽造することができる。つまり、券２の数字「４」の部分（図９（ｂ）中に記号Ｈ１で示した部分）を切り抜いて、券１の数字「８」にちょうど重なるように貼り合わせればよい。図９（ｃ）に示す如くである。このようにすれば、特殊インクの縦バーの連続性が保たれることになり、縦バーの連続性では偽造した券であるか否かが判断できなくなってしまう。
【０００８】
上記3)の印刷形式においても、同様である。すなわち、特殊インクで印刷された部分が分かれば、その番号部分を切り抜いて貼り合わせることで券が偽造されてしまう。図９（ｄ）に示すように、記号Ｈ２で示す部分を他の券から切り抜いて、貼り合わせるという具合である。
【０００９】
一方、上記1)の印刷形式によれば、このような方法で偽造することはできない。ところが、上記1)の印刷形式を採用すると次に示す問題を招く。
1)の印刷形式では、券毎に異なる、ランダムな間隔の斜線からなる紋様を印刷するために、印刷工程が煩雑になり、印刷装置が高価になる。
【００１０】
また、例えば図１０に示すように他の券から番号「４」の部分が切り抜かれて貼られる可能性があるため、紋様を形成する各斜線の一本一本について連続性をチェックする必要がある。このとき、斜線の間隔が券毎に異なるため、偽造判定処理が複雑になり、偽造判定に要する時間が長くなってしまう。
【００１１】
本発明は、上述した問題点を解決するためになされたものであり、偽造が困難な情報記録を行い、かつ、偽造されたか否かを簡単に判定できるようにすることを目的とする。
【課題を解決するための手段】
【００１２】
上述した目的を達成するためになされた請求項１に記載の情報コード印刷媒体読取方法は、所定の位置に２次元コードが印刷され、さらに、可視光を透過すると共に可視光の領域にない特定波長の光が照射されると特定波長の光を反射する特殊インクにより、図形パターンが所定の位置に印刷された情報コード印刷媒体を読み取る情報コード印刷媒体読取方法である。なお、図形パターンは、少なくとも一部が２次元コードと重なるように情報コード印刷媒体に印刷されている。そして、情報コード印刷媒体読取方法は、前記情報コード印刷媒体の一端を処理開始位置として検出する処理開始位置検出過程と、特定波長の光を照射し、図形パターンが反射する反射光のレベル変化を検出する反射光検出過程と、反射光検出過程において検出された反射光のレベル変化から図形パターンの位置を検出する図形パターン位置検出過程と、図形パターン位置検出過程において検出された図形パターンの位置の正否を判断する図形パターン位置判断過程と、情報コード印刷媒体に印刷された画像を取り込む画像取込過程と、画像取込過程において取り込んだ画像における２次元コードの位置を特定する２次元コード位置特定過程と、２次元コード位置特定過程において特定した２次元コードの位置の正否を判断する２次元コード位置判断過程と、図形パターンの位置、及び、２次元コードの位置が共に正しいと判断した場合に、取り込んだ画像に含まれる２次元コードのデコードを実行するデコード過程と、を含むことを特徴とする。
【００１３】
また、請求項２に記載の情報コード印刷媒体読取方法は、図形パターン位置判断過程において図形パターンの位置が正しくないと判断した場合、又は、２次元コード位置判断過程において２次元コードの位置が正しくないと判断した場合に、情報コード印刷媒体が偽造された可能性がある旨を報知する報知過程をさらに含むこと特徴とする。
【００１４】
また、請求項３に記載の情報コード印刷媒体読取方法は、図形パターン位置検出過程では、反射光検出過程において検出された反射光のレベル変化に対応した図形パターン対応信号によって図形パターンの位置を検出し、図形パターン位置判断過程では、図形パターン対応信号検出過程において検出された図形パターン対応信号が正常時の信号と一致するか否かによって、図形パターンの位置の正否を判断することを特徴とする。
【００１５】
また、請求項４に記載の情報コード印刷媒体読取方法は、情報コード印刷媒体の所定の位置に印刷される２次元コードは複数であって、デコード過程は、複数の２次元コードのそれぞれから情報を取得する情報取得過程と、情報取得過程において取得した情報が相互に関連性を有するか否かを判断する関連性判断過程と、を含む。そして、関連性判断過程において関連性がないと判断された場合には、情報コード印刷媒体が偽造された可能性がある旨を報知する過程をさらに含むことを特徴とする。
【００１６】
また、上述した目的を達成するためになされた請求項５に記載の情報コード印刷媒体読取装置は、所定の位置に２次元コードが印刷され、さらに、可視光を透過すると共に可視光の領域にない特定波長の光が照射されると特定波長の光を反射する特殊インクにより、所定の位置に図形パターンが印刷された情報コード印刷媒体を読み取る情報コード印刷媒体読取装置である。なお、図形パターンは、少なくとも一部が２次元コードと重なるように情報コード印刷媒体に印刷されている。そして、情報コード印刷媒体読取装置は、前記情報コード印刷媒体の一端を処理開始位置として検出する処理開始位置検出手段と、特定波長の光を照射し、図形パターンが反射する反射光のレベル変化を検出する反射光検出手段と、反射光検出手段により検出された反射光のレベル変化から図形パターンの位置を検出する図形パターン位置検出手段と、図形パターン位置検出手段により検出された図形パターンの位置の正否を判断する図形パターン位置判断手段と、情報コード印刷媒体に印刷された画像を取り込む画像取込手段と、画像取込手段により取り込まれた画像における２次元コードの位置を特定する２次元コード位置特定手段と、２次元コード位置特定手段により特定された２次元コードの位置の正否を判断する２次元コード位置判断手段と、図形パターンの位置、及び、２次元コードの位置が共に正しいと判断した場合に、取り込んだ画像に含まれる２次元コードのデコードを実行するデコード手段と、を備えることを特徴とする。
【００１７】
また、請求項６に記載の情報コード印刷媒体読取装置は、図形パターン位置判断手段により図形パターンの位置が正しくないと判断された場合、又は、２次元コード位置判断手段により２次元コードの位置が正しくないと判断された場合に、情報コード印刷媒体が偽造された可能性がある旨を報知する報知手段をさらに備えること特徴とする。
【００１８】
また、請求項７に記載の情報コード印刷媒体読取装置は、図形パターン位置検出手段は、反射光検出手段により検出された反射光のレベル変化に対応した図形パターン対応信号によって図形パターンの位置を検出し、図形パターン位置判断手段は、図形パターン対応信号検出手段により検出された図形パターン対応信号が正常時の信号と一致するか否かによって、図形パターンの位置の正否を判断すること、を特徴とする。
【００１９】
また、請求項８に記載の情報コード印刷媒体読取装置は、情報コード印刷媒体に印刷された２次元コードは複数であって、２次元コード位置判断手段は、さらに、２次元コード間の間隔についても調べ、間隔が所定の間隔であるときに２次元コードの位置が正しいと判断すること、を特徴とする。
【００２０】
また、請求項９に記載の情報コード印刷媒体読取装置は、情報コード印刷媒体の所定の位置に印刷される２次元コードは複数であって、デコード手段は、複数の２次元コードのそれぞれから情報を取得する情報取得手段と、情報取得手段により取得された情報が相互に関連性を有するか否かを判断する関連性判断手段と、を含む。そして、関連性判断手段により関連性がないと判断された場合には、報知手段が旨を報知すること、を特徴とする。
【００２１】
図形パターンは、従来技術の説明中に述べたような斜線からなる紋様であってもよいし、あるいは、三角形、四角形、円などの領域を有するパターンであってもよい。この図形パターンは、特殊インクで印刷する。ここでいう特殊インクは、可視光を透過し、かつ、可視光の領域にない特定波長の光が照射されると所定波長の光を放射するインクである。なお、２次元コードを先に印刷しその上から図形パターンを印刷することが考えられるが、上述した特定波長及び所定波長の光を吸収しないインクで２次元コードを印刷すれば、図形パターンを先に印刷しその上から２次元コードを印刷してもよい。
【００２２】
従来の偽造防止技術においては、抽選番号の一部の桁だけをはずれの抽選券から切り抜いて貼り付け、抽選券が偽造されることが考えられる。
これに対して本発明では、２次元コードとして情報を記録する。２次元コードは、所定方向に明（白）又は暗（黒）のセル又はバーが並んだコードであり、人間には解読することができない。したがって、２次元コードを用いて例えば抽選番号を記録しておけば、その２次元コードのどの部分が抽選番号のどこの桁に該当するのかを知ることはできない。つまり、はずれ券に印刷された２次元コードを部分的に切り抜いて券を偽造することはできない。
【００２３】
一方、このように２次元コードで記録された情報を不正に変更しようとした場合、考えられる方法は、複写機を用いてあたり券の２次元コードを複写し、その複写した２次元コードをはずれ券の２次元コードに重ねて貼り付けるという方法である。あたり券の２次元コードを複写しても、図形パターンは、可視光を透過するため複写されない。
【００２４】
上述したように図形パターンは２次元コードに重ねて印刷されている。したがって、複写した２次元コードが貼り付けられた場合、２次元コードと図形パターンとが本来重なっているはずの部分の図形パターンに欠落が生じる。そして、図形パターンは特殊インクで印刷されているため、その欠落は、特定波長の光を照射し、放射される所定波長の光を検知して判断できる。
【００２５】
このため、２次元コードと特殊インクにて印刷される図形パターンを組み合わせて印刷したことによって、偽造が困難な情報記録が実現できると共に、偽造されたか否かを簡単に判定することができる。
【発明を実施するための最良の形態】
【００２６】
以下、本発明を具体化した一実施例を図面を参照して説明する。
図１は「情報コード印刷媒体」としての抽選券７１の上面（光学情報記録面）を示す説明図である。
【００２７】
抽選券７１は長方形形状の券であり、その左側の領域に、情報コード８０が印刷されている。
情報コード８０は、２次元コードである２つのＱＲコードと、ＱＲコードに重ねて印刷された四辺形形状の３つの図形パターンとを有している。左側の図形パターンは、１つ目のＱＲコードの一部と重なるように印刷されている。また、中央の図形パターンは、１つ目と２つ目のＱＲコードの両方に重なるように印刷されている。そして、右側の図形パターンは、２つ目のＱＲコードの一部と重なるように印刷されている。
【００２８】
まずＱＲコードについて説明する。図１１の説明図にＱＲコードを例示した。図１１に示すようにＱＲコードは、縦横の２方向の並ぶ明（白）又は暗（黒）のセルにて構成される。このＱＲコードは、３つの位置決め用シンボルＡ，Ｃ，Ｄを有している。ＱＲコードを光学的に読み取る際、まず最初にこの３つの位置決め用シンボルＡ，Ｃ，Ｄを検出する。この位置決め用シンボルＡ，Ｃ，Ｄは、明暗の比率が走査方向によらず特定の比率、１（暗）：１（明）：３（暗）：１（明）：１（暗）となるパターンである。したがって、この特定の比率を検出すれば、位置決め用シンボルＡ，Ｃ，Ｄを検出することができる。なお、ＱＲコードは、この位置決め用シンボルＡ，Ｃ，Ｄの間に、明、暗のセルを交互に配列したタイミングセルＥ，Ｆを有するため、さらにこのタイミングセルの中心位置から他のセルの中心位置が求められてデコードされる。
【００２９】
本実施例では、抽選券７１の右側の領域（図１中に記号Ｋで示した領域）に、抽選番号をはじめとする各種情報が文字にて記載されている。上述した２つのＱＲコードは、これらの情報を記録したものである。また、２つのＱＲコードとして記録された情報は、相互に関連性を有する。本実施例では、抽選券７１毎にランダムな数値を割り当て、各ＱＲコードの情報にこの数値情報を含めておく。
【００３０】
一方、各図形パターンは、特殊インクにて印刷されている。この特殊インクは、可視光を透過する。したがって、特殊インクにて印刷された図形パターンは、人間の目には見えない。また、この特殊インクは、可視光の領域にない特定波長の光が照射されると、可視光を放射する。
【００３１】
次に、抽選券７１に印刷された情報コード８０を読み取るためのコード読取装置の構成を説明する。
図２は実施例のコード読取装置の概略透視図である。
【００３２】
コード読取装置は、定置式の装置であり、券搬送ベルト７０の上方に配置されている。そして、券搬送ベルト７０によって一定の速度で搬送される抽選券７１の上面（光学情報記録面）に印刷された情報コード８０を読み取る。
【００３３】
コード読取装置は、光学情報読取ユニット１０と、券検知ユニット２０と、特殊インク感知ユニット３０とを備えており、３つの各ユニット１０，２０，２１は、相互に位置関係が変わらないように一体化されている。このように一体化した構成を採用すれば、本装置を設置する際、各ユニット１０，２０，２１を別々に設置する場合と比べて、寸法誤差を減少させることができる点で有利である。
【００３４】
最初に券検知ユニット２０について説明する。
券検知ユニット２０は、フォトセンサを用いて構成されており、下方へ可視光を出射しこの反射光を検知する。そして、反射光が検知されたか否かを示す信号を、光学情報読取ユニット１０へ出力する。券検知ユニット２０からの光は、券搬送ベルト７０と抽選券７１の上面の色の違いによって、券搬送ベルト７０に照射された場合は吸収され、一方、抽選券７１に照射された場合は反射される。本実施例では、抽選券７１が券搬送ベルト７０の所定位置まで来ると、具体的には抽選券７１の先端７１ａが図２中に記号αで示した位置（以下、単に「位置α」という。）まで来ると、反射光が検知されるものとする。
【００３５】
続いて光学情報読取ユニット１０について説明する。
光学情報読取ユニット１０は、図３に示すように、制御部１１、読取部１２及び通信Ｉ／Ｆ１３を備えている。
【００３６】
制御部１１は、ＣＰＵ、ＲＯＭ、ＲＡＭ、Ｉ／Ｏ等を備えたコンピュータシステムとして構成されている。そして、券検知ユニット２０及び特殊インク感知ユニット３０からの信号は、この制御部１１に入力されるようになっている。制御部１１は、ＲＯＭに記憶されているプログラムに従い、券検知ユニット２０からの信号に基づき、読取部１２を介して情報コード８０のＱＲコード画像の取り込みを行う。そして、取り込んだ画像及び特殊インク感知ユニット３０からの信号に基づき、情報コード８０の記録された抽選券７１が偽造されたものであるか否かを判定し、その判定結果に基づく処理を実行する。
【００３７】
読取部１２は、図２に示したコレクトミラー１２ａ、結像レンズ１２ｂ、ＣＣＤエリアセンサ１２ｃをはじめ、図示しない照明用発光ダイオード、増幅回路、２値化回路、アドレス発生回路、画像メモリなどを備えている。
【００３８】
そして、制御部１１からの指示があると、抽選券７１の上面に記録された情報コード８０に対し、照明用発光ダイオードから照明用の赤色光を照射する。その反射光は、コレクトミラー１２ａ及び結像レンズ１２ｂを介して、ＣＣＤエリアセンサ１２ｃに結像される。そして、ＣＣＤエリアセンサ１２ｃから出力される走査線信号を増幅回路にて増幅し、２値化回路にて２値データに変換して、画像メモリへ記憶する。画像メモリにおける記憶先のアドレスは、アドレス発生回路にて例えば８ビット単位で生成される。なお、ここで示したような２次元コード（ＱＲコード）を読み取るための構成は、当業者によってよく知られたものである。
【００３９】
通信Ｉ／Ｆ１３は、図示しない外部装置との間で通信を行うものであり、図示しない通信用発光素子を介してデータを外部装置に送信したり、図示しない通信用受光素子を介して外部装置からの信号を受信する。
【００４０】
さらに続けて、特殊インク感知ユニット３０について説明する。
特殊インク感知ユニット３０も、券検知ユニット２０と同様、フォトセンサを用いて構成されている。ただし出射する光は、可視光の領域にない特定波長の光である。上述したように、抽選券７１の上面に印刷された情報コード８０の図形パターンは、この特定波長の光の照射によってフォトセンサで検知できる可視光領域の光を放射する。したがって、図形パターン上が走査された場合には、フォトセンサで可視光が検知され、フォトセンサから出力される信号レベルが変化する。
【００４１】
本実施例の特殊インク感知ユニット３０は、図２に示すように券搬送ベルト７０によって一定の搬送速度で搬送される抽選券７１に対し、特定波長のレーザ光を出射する。これにより、特殊インク感知ユニット３０からのレーザ光によって、図形パターンとＱＲコードとの重なり部分であるライン上が走査される。
【００４２】
具体的には図４（ａ）に示すように、記号Ａで示すライン上を特殊インク感知ユニット３０のレーザ光が走査する。なお、図４（ａ）には、煩雑になることを避けるため、ＱＲコードを除いて図形パターン（斜線を施した領域）のみを図示した。
【００４３】
記号Ａで示すライン上が走査されると、図形パターン上が走査される期間Ｔにおいて、フォトセンサの信号レベルが変化する。すなわち、図４（ａ）に示すように抽選券７１の予め定められた位置に図形パターンが印刷されていれば、図４（ｂ）に示す如くフォトセンサの信号レベルが変化する。この図４（ｂ）に示した信号が、特殊インク感知ユニット３０から出力される図形パターン対応信号として、制御部１１に入力される。
【００４４】
次に、以上のように構成されたコード読取装置の動作として、上述した制御部１１にて実行される読取処理を詳細に説明する。図５は、この読取処理を示すフローチャートである。
【００４５】
まず最初のステップＳ１００において、抽選券７１を検知したか否かを判断する。この処理は、券検知ユニット２０からの信号に基づき、抽選券７１の先端７１ａが位置αに来たことを判断するものである。ここで抽選券７１を検知した場合（Ｓ１００：ＹＥＳ）、Ｓ１１０へ移行する。一方、抽選券７１を検知しないうちは（Ｓ１００：ＮＯ）、この判断処理を繰り返す。
【００４６】
Ｓ１１０では、券検知ユニット２０からの信号に基づくタイミングで、読取部１２へ画像の取り込みを指示する。これによって、情報コード８０のＱＲコードが画像として取り込まれる。
【００４７】
続くＳ１２０では、特殊インク感知ユニット３０からの図形パターン対応信号を入力する。この図形パターン対応信号は、券検知ユニット２０にて抽選券７１の先端７１ａが位置αに来たことが検知されてから、所定タイミングで入力される。したがって、図形パターン対応信号のレベルが変化を見れば、少なくとも記号Ａで示すライン上においては、図形パターンが予め決められた位置に印刷されているか否かを判断することができる。
【００４８】
例えば、別の抽選券（あたり券）のＱＲコードを複写機によって複写し、図６（ａ）に示すように、その複写したＱＲコードを抽選券７１のＱＲコード領域に貼り付けて、抽選券７１を偽造することが考えられる。なお、図６（ａ）中の波線で囲まれた正方形の領域が、複写したＱＲコードを貼り付けた領域に該当する。このとき、ＱＲコードは複写されても、図形パターンは、可視光を透過するため、複写されない。そのため、このようにして偽造された抽選券７１では、図６（ａ）に示すように、ＱＲコードの貼り付け部分の図形パターンが欠落する。結果として、記号Ａで示すライン上が走査されると、特殊インク感知ユニット３０からの図形パターン対応信号のレベルは、記号Ｔ’で示す期間で変化する。図６（ｂ）に示す如くである。
【００４９】
一方、図４（ａ）を用いて上述したように、抽選券７１の予め定められた位置に図形パターンが記録されていれば、特殊インク感知ユニット３０からの図形パターン対応信号は、記号Ｔで示す期間で変化し、図４（ｂ）に示す如くとなる。
【００５０】
したがって、次のＳ１３０では、入力された図形パターン対応信号が図４（ｂ）に示す正常時の信号と一致するか否かによって、図形パターンの位置が正しいか否かを判断する。ここで図形パターン位置が正しいと判断された場合（Ｓ１３０：ＹＥＳ）、Ｓ１４０へ移行する。一方、図形パターン位置が正しくないと判断された場合は（Ｓ１３０：ＮＯ）、Ｓ１８０へ移行する。
【００５１】
Ｓ１４０では、コード位置を算出する。上述のＳ１１０では、券検知ユニット２０からの信号に基づくタイミングで、読取部１２へ画像取込指示を出力し、読取部１２によってＱＲコードが画像として取り込まれる。したがって、取り込んだ画像のどこにＱＲコードが写っているかを判断すれば、抽選券７１のどの位置にＱＲコードが印刷されているかが検知できる。
【００５２】
本実施例では、図７に示すように、抽選券７１の先端７１ａから１つ目のＱＲコードの端までの間隔Ｉ１と、１つ目と２つ目のＱＲコードの間隔Ｉ２とを算出する。なお、別実施例として、図７に示すような抽選券７１の端部７１ｂ，７１ｃの位置が分かっていれば、例えば抽選券７１が搬送方向と垂直な方向にずれないのであれば、端部７１ｂからＱＲコードの端までの間隔Ｉ３を計算することも考えられる。
【００５３】
続くＳ１５０では、コード位置が正しいか否かを判断する。算出した間隔Ｉ１，Ｉ２が予め定められた間隔となっている場合には肯定判断される。なお、上述したように端部７１ｂからＱＲコードの端までの間隔Ｉ３を算出する構成では、この間隔Ｉ３が予め定められた間隔となっているか否かも判断される。ここでコード位置が正しいと判断された場合（Ｓ１５０：ＹＥＳ）、Ｓ１６０へ移行する。一方、コード位置が正しくないと判断された場合（Ｓ１５０：ＮＯ）、Ｓ１８０へ移行する。
【００５４】
Ｓ１６０では、デコード処理を行う。このデコード処理は、取り込まれたＱＲコードの画像に基づき、ＱＲコードを光学情報として読み取るものである。
続くＳ１７０では、デコード処理の結果に基づき、２つのＱＲコードの情報に所定の関連性があるか否かを判断する。上述したように、２つのＱＲコードに対応するそれぞれの情報には、抽選券７１に対応するランダムな数値情報を含んでいる。したがって、ここではこの数値情報が共通であるか否かを判断し、数値情報が共通であれば、所定の関連性があると判断する。ここで所定の関連性がない場合（Ｓ１７０：ＮＯ）、Ｓ１８０へ移行する。一方、所定の関連性があれば（Ｓ１７０：ＹＥＳ）、本読取処理を終了する。
【００５５】
一方、Ｓ１３０、Ｓ１５０又はＳ１７０にて否定判断された場合に移行するＳ１８０では、警告処理を実行し、その後、本読取処理を終了する。警告処理は、通信Ｉ／Ｆを介して図示しない管理センタ等に抽選券７１が偽造されている可能性がある旨を報知する処理である。
【００５６】
本実施例では、上述したような情報コード８０にて抽選券７１に対する情報の記録を行うようにしたため、以下に示すような効果を奏する。
情報コード８０は、ＱＲコードと図形パターンとからなる。そして、抽選番号をはじめとする各種情報をＱＲコードにて記録するようにした。ＱＲコードは、縦横の２方向に配置された明又は暗のセルにて構成されているため、人間には解読することができない。そのため、ＱＲコードのどの部分がどんな情報を示すかを知ることはできない。したがって、抽選券７１の内のはずれ券に印刷されたＱＲコードを部分的に切り抜いて券を偽造することはできない。
【００５７】
このため、考えられるのは、上述したように複写機を用いてあたり券のＱＲコードを複写し、その複写したＱＲコードを抽選券７１のＱＲコードに重ねて貼り付けるという方法である。
【００５８】
したがって、本実施例では、図１に示したように、ＱＲコードに３つの図形パターンを重ねて印刷するようにした。上述したようにＱＲコード全体が複写されて貼り合わせられるという前提の下では、ＱＲコードと図形パターンとの本来の重なり部分の少なくとも一
部に図形パターンが存在するか否かを判断すれば、抽選券７１が偽造されたものであるか否かを判定でき、従来のように図形パターンの連続性を検査する必要がない。具体的に本実施例では、特殊インク感知ユニット３０によって図４（ａ）に記号Ａで示すライン上を走査し、この特殊インク感知ユニット３０からの図形パターン対応信号に基づいて抽選券７１の偽造を判定する（図５中のＳ１２０，Ｓ１３０）。これによって、偽造が困難な情報記録が実現されると共に、記録された情報が不正なものであるか否かを簡単かつ迅速に判定することができる。
【００５９】
また、本実施例では、ＱＲコードの印刷位置を算出し（図５中のＳ１４０）、ＱＲコードが抽選券７１の予め定められた位置に記録されているか否かを判断し（Ｓ１５０）、予め定められた位置に記録されていない場合には（Ｓ１５０：ＮＯ）、抽選券７１が偽造されているとして、警告処理を行う（Ｓ１８０）。
【００６０】
さらにまた、本実施例では、情報を２つのＱＲコードとして記録するようにしている。そして、この２つのＱＲコードが示すそれぞれの情報には、抽選券７１に対応するランダムな数値情報を含めている。したがって、ＱＲコードのどちらか一方のみを変更すれば、その関連性が保たれなくなる。そこで、デコード処理（図５中のＳ１６０）を行った後、この数値情報が２つのＱＲコードで共通であるか否かを判断することによって２つのＱＲコードが関連性を有するか否かを判断し（Ｓ１７０）、関連性がなければ警告処理を行う（Ｓ１８０）。
【００６１】
つまり、情報コード８０の図形パターンに基づく判定で偽造が発見されない場合に、ＱＲコードの印刷位置及びＱＲコードとして記録された情報の関連性に基づいて偽造を判定するようにした。これによって、より確実に抽選券７１の偽造を防止することができる。
【００６２】
以上、本発明はこのような実施例に何等限定されるものではなく、本発明の主旨を逸脱しない範囲において種々なる形態で実施し得る。
上記実施例では、図４中に記号Ａで示した１つのライン上を走査し、図形パターンが予め決められた位置に印刷されているか否かを判断するものであった。
【００６３】
これに対して、例えば図４中に記号Ｂ，Ｃで示したライン（２点鎖線のライン）を含む複数のライン上を走査して、図形パターンが予め決められた位置に印刷されているか否かを判断するようにしてもよい。このようにすれば、図形パターンの位置を精度よく判断することができ、抽選券７１の偽造を高い精度で判定することができる。
【図面の簡単な説明】
【００６４】
【図１】実施例の抽選券の上面を示す説明図である。
【図２】実施例のコード読取装置を示す概略透視図である。
【図３】実施例のコード読取装置の概略構成を示すブロック図である。
【図４】図形パターンの走査位置と走査結果の信号を示す説明図である。
【図５】コード読取装置の制御部にて実行される読取処理を示すフローチャートである。
【図６】偽造された抽選券の走査と走査結果の信号を示す説明図である。
【図７】コード記録位置として算出する間隔を示す説明図である。
【図８】従来の偽造防止方法を示す説明図である。
【図９】従来の方法に対して考えられる抽選券の偽造を示す説明図である。
【図１０】従来の方法に対して考えられる抽選券の偽造を示す説明図である。
【図１１】ＱＲコードを例示する説明図である。
【符号の説明】
【００６５】
１０…光学情報読取ユニット            １１…制御部
１２…読取部                          １３…通信Ｉ／Ｆ
２０…券検知ユニット                  ３０…特殊インク感知ユニット
７０…券搬送ベルト                    ７１…抽選券
７１ａ…先端                          ８０…情報コード
【図１】
0004524429.tif 000002
【図２】
0004524429.tif 000003
【図３】
0004524429.tif 000004
【図４】
0004524429.tif 000005
【図５】
0004524429.tif 000006
【図６】
0004524429.tif 000007
【図７】
0004524429.tif 000008
【図８】
0004524429.tif 000009
【図９】
0004524429.tif 000010
【図１０】
0004524429.tif 000011
【図１１】
0004524429.tif 000012